(57)【要約】【課題】  光学的変化素子と導電体印刷による共振タグを貼付した印刷物及び読取装置を提供する。【解決手段】  有価証券または旅券冊子等の貴重印刷物１に、導電体の印刷３後、前記導電体の印刷３上に重なるように、光を回折する微小な凹凸を有する樹脂層５と前記樹脂層の凹凸面上に金属層７が含まれる一般的な箔から構成される光学的変化素子２を貼付する。【選択図】  図１
2006272816.tif 000002
【特許請求の範囲】
【請求項１】
基材上に導電体を用いて印刷により回路を構成した印刷回路と、光を回折する微小な凹凸を有する樹脂層と、前記樹脂層の凹凸面上に設けられた金属層と、前記金属層面上に設けられた接着層とを有して構成される箔を前記印刷回路に重ね合わせて貼付することにより、前記接着層を挟んでいる前記箔の金属層と前記導電体の印刷回路とは電気的に接続されていない構造による共振回路を構成していることを特徴とする印刷物。
【請求項２】
基材上に導電体を用いて印刷により回路を構成した印刷回路と、光を回折する微小な凹凸を有する樹脂層と、前記樹脂層の凹凸面上に設けられた金属層と、前記金属層面上に設けられた接着層とを有して構成される箔を前記印刷回路に重ねあわせて貼付することにより、前記接着層を挟んでいる前記箔の金属層と前記導電体の印刷回路とは電気的に接続されていない印刷物であって、前記接着層を挟んでいる前記箔の金属層と前記導電体の印刷回路との間で二つのコンデンサを形成し、前記箔の樹脂層の凹凸面上の金属層又は前記導電体の印刷回路にコイルのパターンを形成し、二つのコンデンサとコイルパターンにより共振回路を構成することを特徴とする印刷物。
【請求項３】
基材上に導電体を用いて印刷により回路を構成した印刷回路と、光を回折する微小な凹凸を有する樹脂層と、前記樹脂層の凹凸面上に設けられた金属層と、前記金属層面上に設けられた接着層と、前記樹脂層の凹凸面の裏側に保護層を有して構成される箔を前記印刷回路に重ね合わせて貼付することにより、前記接着層を挟んでいる前記箔の金属層と前記導電体の印刷回路とは電気的に接続されていない構造による共振回路を構成していることを特徴とする印刷物。
【請求項４】
基材上に導電体を用いて印刷により回路を構成した印刷回路と、光を回折する微小な凹凸を有する樹脂層と、前記樹脂層の凹凸面上に設けられた金属層と、前記金属層面上に設けられた接着層と、前記樹脂層の凹凸面の裏側に保護層を有して構成される箔を前記印刷回路に重ねあわせて貼付することにより、前記接着層を挟んでいる前記箔の金属層と前記導電体の印刷回路とは電気的に接続されていない印刷物であって、前記箔の表面の保護層及び前記樹脂層を挟んでいる前記箔の金属層と前記導電体の印刷回路との間で二つのコンデンサを形成し、又は前記箔の樹脂層の凹凸面上の金属層又は前記導電体の印刷回路にコイルのパターンを形成し、二つのコンデンサとコイルパターンにより共振回路を構成することを特徴とする印刷物。
【請求項５】
基材上に導電体を用いて印刷により回路を構成した印刷回路と、光を回折する微小な凹凸を有する樹脂層と、前記樹脂層の凹凸面上に設けられた金属層と、前記金属層面上に設けられた接着層と、前記樹脂層の凹凸面の裏側に保護層を有して構成される箔を、前記基材上の印刷回路と同一箇所の裏側に前記基材を介して重ね合わせて貼付することにより、前記基材及び前記接着層を挟んでいる前記箔の金属層と前記導電体の印刷回路とは電気的に接続されていない構造による共振回路を構成していることを特徴とする印刷物。
【請求項６】
基材上に導電体を用いて印刷により回路を構成した印刷回路と、光を回折する微小な凹凸を有する樹脂層と、前記樹脂層の凹凸面上に設けられた金属層と、前記金属層面上に設けられた接着層と、前記樹脂層の凹凸面の裏側に保護層を有して構成される箔を、前記基材上の印刷回路と同一箇所の裏側に前記基材を介して重ねあわせて貼付することにより、前記基材及び前記接着層を挟んでいる前記箔の金属層と前記導電体の印刷回路とは電気的に接続されていない印刷物であって、前記箔の表面の保護層及び前記樹脂層を挟んでいる前記箔の金属層と前記導電体の印刷回路との間で二つのコンデンサを形成し、又は前記箔の樹脂層の凹凸面上の金属層又は前記導電体の印刷回路にコイルのパターンを形成し、二つのコンデンサとコイルパターンにより共振回路を構成することを特徴とする印刷物。
【請求項７】
基材上に導電体を用いて印刷により回路を構成した印刷回路と、光を回折する微小な凹凸を有する樹脂層と、前記樹脂層の凹凸面上に設けられた金属層と、前記金属層面上に設けられた接着層と、前記樹脂層の凹凸面の裏側に保護層を有して構成される箔を、前記基材上の印刷回路と同一面又は反対面の折り曲げ線に対して、前記印刷回路と対称の位置に貼付することにより、前記保護層及び前記樹脂層を挟んでいる前記金属層と導電体層、又は前記基材及び前記保護層及び前記樹脂層を挟んでいる前記箔の金属層と前記導電体の印刷回路とは電気的に接続されていない構造による共振回路を構成していることを特徴とする印刷物。
【請求項８】
基材上に導電体を用いて印刷により回路を構成した印刷回路と、光を回折する微小な凹凸を有する樹脂層と、前記樹脂層の凹凸面上に設けられた金属層と、前記金属層面上に設けられた接着層と、前記樹脂層の凹凸面の裏側に保護層を有して構成される箔を、前記基材上の印刷回路と同一面又は反対面の折り曲げ線に対して、前記印刷回路と対称の位置に貼付することにより、前記保護層及び前記樹脂層を挟んでいる前記金属層と導電体層、又は前記基材及び前記保護層及び前記樹脂層を挟んでいる前記箔の金属層と前記導電体の印刷回路とは電気的に接続されていない印刷物であって、前記箔の表面の保護層及び前記樹脂層を挟んでいる前記箔の金属層と前記導電体の印刷回路との間で二つのコンデンサを形成し、又は前記基材及び前記保護層及び前記樹脂層を挟んでいる前記金属層と導電体との間で二つのコンデンサを形成し、前記樹脂層の凹凸面上の金属層又は前記導電体の印刷回路にコイルのパターンを形成し、二つのコンデンサとコイルパターンにより共振回路を構成することを特徴とする印刷物。
【請求項９】
前記印刷物は、前記樹脂層の凹凸面上に金属層を有するため、前記樹脂層の凹凸面と金属層とにより、色の変化や図柄の変化が観察され、前記接着層下の導電体の印刷形状の認識が困難となることを特徴とする請求項１乃至８のいずれか記載の印刷物。
【請求項１０】
前記印刷物は、特定周波数の電波に対して共振することにより、真偽判別又は機械読み取りによる共振周波数の判別が可能となることを特徴とする請求項１〜９のいずれか記載の印刷物。
【請求項１１】
請求項１乃至１０のいずれか記載の印刷物の読取装置であって、
ＣＰＵによって前記電気的に接続されていない印刷物が共振する周波数の電波を送信するタイミングを制御するタイミング制御部と、
送信アンプを介して電波を送信する送信アンテナと、
前記電波を受信する受信アンテナと、
前記受信アンテナにより受信アンプを介して前記受信した電波を入力する受信制御部と、
前記タイミング制御部からの信号を基に受信信号成分を出力し、Ａ／Ｄ変換部を介して前記ＣＰＵに入力され、
前記印刷物の二つのコンデンサとコイルパターンによって、特定周波数の電波に対する共振を生じる共振回路の存在の有無及び共振周波数を判定し、印刷物の真偽判別又は機械読み取りによる共振周波数の判別を行うことを特徴とする印刷物の読取装置。
【発明の詳細な説明】
【技術分野】
【０００１】
本発明は、印刷物及びその読取装置に関する。特に、有価証券又は旅券冊子等の貴重印刷物に、真偽判別、券種判別、機械読み取り、偽変造の抑制効果を付与するための共振タグ機能を有する印刷物及びその読取装置に関するものである。
【背景技術】
【０００２】
有価証券又は旅券冊子等の貴重印刷物に、真偽判別、券種判別、偽変造の抑制効果等を付与するために光学的変化素子が貼付されている。これらの光学的変化素子の一部には機械読み取りの対応のため、光学的変化素子内に通常光では不可視の情報や、適切な方向に回折光が得られるかによって判別する手法等が行われている。
【０００３】
また、一般的なＬＣ共振回路の構造としては、コイルとコンデンサパターンを有する上層シートと同様にコイルとコンデンサパターンを有する下層シート間を導通部で導通させるようにした、共振ラベルが提案されている（例えば、特許文献１参照）。しかし、この場合は、単純なＬＣ共振回路であり、ホログラムは脆性シールの用途として用いられていて、回路の一部として使用されているのではない。
【０００４】
【特許文献１】特開２００１−１３４７３３号公報
【発明の開示】
【発明が解決しようとする課題】
【０００５】
光学的変化素子の機械読み取りには、レーザを照射し、光学的変化素子に照射され回折した光をセンサで読み取るのが一般的であり、その光学的変化素子が付与されている有価証券又は旅券冊子等の貴重印刷物が流通や取り扱い上で損傷した場合、光学的変化素子に凹凸や折れが生じてしまうため、その読み取りが困難になるという問題がある。
【０００６】
そこで、本発明は上記問題に鑑み、光を回折する微小な凹凸を有する樹脂層と前記樹脂層の凹凸面上に金属層が含まれる一般的な箔と、導電体を用いて印刷した印刷回路とを重ねることにより、前記金属層と前記導電体層に挟まれた非導電体層からなるコンデンサが２つ、コイルが１つのＬＣ回路を構成することにより、層間の電気的な接続が不要で、共振により機械読み取りが可能な印刷物及びその読取装置を提供することを目的とする。
【課題を解決するための手段】
【０００７】
本発明は、前述した課題を解決させるためになされたものであり、本発明の印刷物は、基材上に導電体を用いて印刷により回路を構成した印刷回路と、光を回折する微小な凹凸を有する樹脂層と、前記樹脂層の凹凸面上に設けられた金属層と、前記金属層面上に設けられた接着層とを有して構成される箔を前記印刷回路に重ね合わせて貼付することにより、前記接着層を挟んでいる前記箔の金属層と前記導電体の印刷回路とは電気的に接続されていない構造による共振回路を構成していることを特徴としている。
【０００８】
本発明の印刷物は、基材上に導電体を用いて印刷により回を構成した印刷回路と、光を回折する微小な凹凸を有する樹脂層と、前記樹脂層の凹凸面上に設けられた金属層と、前記金属層面上に設けられた接着層とを有して構成される箔を前記印刷回路に重ねあわせて貼付することにより、前記接着層を挟んでいる前記箔の金属層と前記導電体の印刷回路とは電気的に接続されていない印刷物であって、前記接着層を挟んでいる前記箔の金属層と前記導電体の印刷回路との間で二つのコンデンサを形成し、前記箔の樹脂層の凹凸面上の金属層又は前記導電体の印刷回路にコイルのパターンを形成し、二つのコンデンサとコイルパターンにより共振回路を構成することを特徴としている。
【０００９】
本発明の印刷物は、基材上に導電体を用いて印刷により回路を構成した印刷回路と、光を回折する微小な凹凸を有する樹脂層と、前記樹脂層の凹凸面上に設けられた金属層と、前記金属層面上に設けられた接着層と、前記樹脂層の凹凸面の裏側に保護層を有して構成される箔を前記印刷回路に重ね合わせて貼付することにより、前記接着層を挟んでいる前記箔の金属層と前記導電体の印刷回路とは電気的に接続されていない構造による共振回路を構成していることを特徴としている。
【００１０】
本発明の印刷物は、基材上に導電体を用いて印刷により回路を構成した印刷回路と、光を回折する微小な凹凸を有する樹脂層と、前記樹脂層の凹凸面上に設けられた金属層と、前記金属層面上に設けられた接着層と、前記樹脂層の凹凸面の裏側に保護層を有して構成される箔を前記印刷回路に重ねあわせて貼付することにより、前記接着層を挟んでいる前記箔の金属層と前記導電体の印刷回路とは電気的に接続されていない印刷物であって、前記箔の表面の保護層及び前記樹脂層を挟んでいる前記箔の金属層と前記導電体の印刷回路との間で二つのコンデンサを形成し、又は前記箔の樹脂層の凹凸面上の金属層又は前記導電体の印刷回路にコイルのパターンを形成し、二つのコンデンサとコイルパターンにより共振回路を構成することを特徴としている。
【００１１】
本発明の印刷物は、基材上に導電体を用いて印刷により回路を構成した印刷回路と、光を回折する微小な凹凸を有する樹脂層と、前記樹脂層の凹凸面上に設けられた金属層と、前記金属層面上に設けられた接着層と、前記樹脂層の凹凸面の裏側に保護層を有して構成される箔を、前記基材上の印刷回路と同一箇所の裏側に前記基材を介して重ね合わせて貼付することにより、前記基材及び前記接着層を挟んでいる前記箔の金属層と前記導電体の印刷回路とは電気的に接続されていない構造による共振回路を構成していることを特徴としている。
【００１２】
本発明の印刷物は、基材上に導電体を用いて印刷により回路を構成した印刷回路と、光を回折する微小な凹凸を有する樹脂層と、前記樹脂層の凹凸面上に設けられた金属層と、前記金属層面上に設けられた接着層と、前記樹脂層の凹凸面の裏側に保護層を有して構成される箔を、前記基材上の印刷回路と同一箇所の裏側に前記基材を介して重ねあわせて貼付することにより、前記基材及び前記接着層を挟んでいる前記箔の金属層と前記導電体の印刷回路とは電気的に接続されていない印刷物であって、前記箔の表面の保護層及び前記樹脂層を挟んでいる前記箔の金属層と前記導電体の印刷回路との間で二つのコンデンサを形成し、又は前記箔の樹脂層の凹凸面上の金属層又は前記導電体の印刷回路にコイルのパターンを形成し、二つのコンデンサとコイルパターンにより共振回路を構成することを特徴としている。
【００１３】
本発明の印刷物は、基材上に導電体を用いて印刷により回路を構成した印刷回路と、光を回折する微小な凹凸を有する樹脂層と、前記樹脂層の凹凸面上に設けられた金属層と、前記金属層面上に設けられた接着層と、前記樹脂層の凹凸面の裏側に保護層を有して構成される箔を、前記基材上の印刷回路と同一面又は反対面の折り曲げ線に対して、前記印刷回路と対称の位置に貼付することにより、前記保護層及び前記樹脂層を挟んでいる前記金属層と導電体層、又は前記基材及び前記保護層及び前記樹脂層を挟んでいる前記箔の金属層と前記導電体の印刷回路とは電気的に接続されていない構造による共振回路を構成していることを特徴としている。
【００１４】
本発明の印刷物は、基材上に導電体を用いて印刷により回路を構成した印刷回路と、光を回折する微小な凹凸を有する樹脂層と、前記樹脂層の凹凸面上に設けられた金属層と、前記金属層面上に設けられた接着層と、前記樹脂層の凹凸面の裏側に保護層を有して構成される箔を、前記基材上の印刷回路と同一面又は反対面の折り曲げ線に対して、前記印刷回路と対称の位置に貼付することにより、前記保護層及び前記樹脂層を挟んでいる前記金属層と導電体層、又は前記基材及び前記保護層及び前記樹脂層を挟んでいる前記箔の金属層と前記導電体の印刷回路とは電気的に接続されていない印刷物であって、前記箔の表面の保護層及び前記樹脂層を挟んでいる前記箔の金属層と前記導電体の印刷回路との間で二つのコンデンサを形成し、又は前記基材及び前記保護層及び前記樹脂層を挟んでいる前記金属層と導電体との間で二つのコンデンサを形成し、前記樹脂層の凹凸面上の金属層又は前記導電体の印刷回路にコイルのパターンを形成し、二つのコンデンサとコイルパターンにより共振回路を構成することを特徴としている。
【００１５】
本発明の印刷物は、前記樹脂層の凹凸面上に金属層を有するため、前記樹脂層の凹凸面と金属層とにより、色の変化や図柄の変化が観察され、前記接着層下の導電体の印刷形状の認識が困難となる。
【００１６】
本発明の印刷物は、特定周波数の電波に対して共振することにより、真偽判別又は機械読み取りによる共振周波数の判別が可能となる。
【００１７】
本発明の印刷物の読取装置であって、ＣＰＵによって前記電気的に接続されていない印刷物が共振する周波数の電波を送信するタイミングを制御するタイミング制御部と、送信アンプを介して電波を送信する送信アンテナと、前記電波を受信する受信アンテナと、前記受信アンテナにより受信アンプを介して前記受信した電波を入力する受信制御部と、前記タイミング制御部からの信号を基に受信信号成分を出力し、Ａ／Ｄ変換部を介して前記ＣＰＵに入力され、前記印刷物の二つのコンデンサとコイルパターンによって、特定周波数の電波に対する共振を生じる共振回路の存在の有無及び共振周波数を判定し、印刷物の真偽判別又は機械読み取りによる共振周波数の判別を行うことを特徴としている。
【発明の効果】
【００１８】
本発明の印刷物及びその読取装置によれば、上層シートにコンデンサ２つとコイルまたはコンデンサ２つのみを有することで、上層シートと下層シート間を導通させることなくＬＣ回路を構成しているので、現在、機械読み取り機能が普及していない、用紙に付与された光学的変化素子の読み取りを、光学的変化素子に導電体印刷を加えるだけで、共振タグ機能を付与することができるので、機械読み取りによる真偽判別又は機械読み取りによる共振周波数の判別が可能となる。また、コイルを光学的変化素子で隠蔽することや、印刷物を折り曲げることで共振タグ機能を持たせることも可能である。
【発明を実施するための最良の形態】
【００１９】
本発明において、導電体とは、導電性塗料又はインキであり、これらを用いて基材上に印刷画線を印刷したものを印刷回路という。
【００２０】
本発明に係る印刷物及びその読取装置の実施の形態を実施例に基づいて図面を参照して説明する。本実施例で用いる一般的な箔の構成は、樹脂層と、前記樹脂層面上に金属層を有し、前記金属層面上に接着層を有して構成され、本実施例の印刷物は、基材上に導電体を用いて印刷を行い印刷回路を構成し、前記印刷回路上に、前記箔を重ね合わせて貼付することにより得られる。
【００２１】
箔を構成している樹脂層は、ホログラム等の回折格子状パターンを熱と圧力によって型押し成形が可能な樹脂であり、この回折格子パターンによって、本発明の印刷物に貼付された箔が光学的に色や図柄が変化して見える。この樹脂層の厚みは数μｍ〜数十μｍ程度が望ましい。
【００２２】
金属層は上記樹脂層の凹凸面上に設けられており、光学的変化素子の本来の色や模様が変化する効果はそのまま得られており、この金属層は一般的にアルミニウム等が用いられる。
【００２３】
本実施例の印刷物が、前記金属層と前記導電体層に挟まれた非導電体層からなるコンデンサが２つ、コイルが１つのＬＣ回路を構成することにより、共振するものであり、金属層の回路は、コイルの線幅を０．５〜２．０ｍｍ、ピッチを０．５〜２．０ｍｍ、コンデンサは、２つのコンデンサとも５０〜４００ｍｍ２、また、導電体層の回路は、２つのコンデンサとも５０〜４００ｍｍ２が望ましい。
【００２４】
前記金属層と前記導電体層のコンデンサ部分は、同位置に重なることにより、コンデンサの機能をなすものである。
【００２５】
さらに、金属層の回路部分の周辺にも金属層を残すことで、導電体層の回路を隠蔽することができる。本実施例をさらにその作製方法及びその読取装置を含めて以下に詳細に説明する。
【００２６】
（実施例）  以下、図面に基づいて本発明の印刷物及びその読取装置について詳細に説明をする。本発明は、本実施例に限定されるものではなく、導電体層の形状や誘電体層の厚みによって、本発明の真偽判別あるいは機械読み取りに用いる電波の周波数を任意に設定可能である。
【００２７】
図１〜３は、本実施例を説明する図であり、有価証券または旅券冊子等の貴重印刷物１に光学的変化素子２の貼付または導電体の印刷３がなされているものである。
【００２８】
図１は、有価証券または旅券冊子等の貴重印刷物１に、導電体の印刷３後、前記導電体の印刷３上に重なるように、光学的変化素子２を貼付したものであり、図２は、有価証券または旅券冊子等の貴重印刷物１に、導電体の印刷３後、前記導電体の印刷３の裏面上に重なるように、光学的変化素子２を貼付したもの、又は、光学的変化素子２を貼付した後、前記光学的変化素子２の裏面上に重なるように導電体の印刷３をしたものであり、図３は、有価証券または旅券冊子等の貴重印刷物１に、光学的変化素子２の貼付と導電体の印刷３を。同一面の異なる場所又は反対の面に施したものである。
【００２９】
図４（ａ）、（ｂ）はそれぞれ、図１のａ−ａ’の断面図、図２のｂ−ｂ’の断面図であり、光学的変化素子の表面から保護層４、エンボス層５、エンボス面６、金属層７、接着層８、導電体層９及び用紙１０である。
【００３０】
図５（ａ）、（ｂ）はそれぞれ、図３のｃ−ｃ’の断面図、図３のｄ−ｄ’の断面図であり、図５（ａ）は、光学的変化素子の表面から保護層４、エンボス層５、エンボス面６、金属層７、接着層８、用紙１０、図５（ｂ）は、導電体層９、用紙１０である。図５（ｃ）は、図３のｅ−ｅ’を折り目として折ったときの断面図であり、上から用紙１０、導電体層９、保護層４、エンボス層５、エンボス面６、金属層７、接着層８、用紙１０である。
【００３１】
図６（ａ）は、金属層７の回路図を示す。本実施例の印刷物は、金属層と導電体層に挟まれた非導電体層からなるコンデンサが２つ、コイルが１つのＬＣ回路を構成することで共振するものであり、対面する導電体層９のコイルの外側にあるコンデンサ１１とそのコイルの内側にあるコンデンサ１２間を導線１３で接続している。金属層７は、エンボス層５のエンボス面６上に塗布、蒸着又は印刷等の方法により形成し、回路を構成するために必要な場合はさらに印刷及びエッチング処理を行う。また、金属層の回路の周辺にもコイル及びコンデンサを隠蔽するように金属層１４を残し、さらにその周辺にも微小文字あるいは微細画線等１５を施す。
【００３２】
図６（ｂ）は、導電体層９の回路図を示す。コイルの外側にあるコンデンサ１１とコイルの内側にあるコンデンサ１２間をコイル１６で接続している。
【００３３】
図６（ａ）の金属層７の回路は、対面する導電体層９のコイルの外側にあるコンデンサ１１とコイルの内側にあるコンデンサ１２とも約１２６ｍｍ２で形成した。
【００３４】
図６（ｂ）の導電体層９の回路は、コイルパターンの半径を約２６ｍｍ、巻き数を４巻き、コイルの線幅を約１．０ｍｍ、ピッチを約０．５ｍｍで形成した。また、コンデンサは、コイルの外側にあるコンデンサ１１とコイルの内側にあるコンデンサ１２とも約１２６ｍｍ２で形成した。
【００３５】
上記の構成とした場合、約４１ＭＨｚの周波数の電波によって共振が可能であった。
【００３６】
図７は、本実施例の光学的変化素子の読取装置の一構成例を示すものである。ＣＰＵ１７によって本実施例の光学的変化素子が共振する周波数の電波を送信するタイミング制御部１８でタイミングを制御し、送信アンプ１９を介し、送信アンテナ２０より電波を送信する。
【００３７】
受信は受信アンテナ２１によって行われ、受信アンプ２２を介して、受信制御部２３に入力され、タイミング制御部１８からの信号を基に受信信号成分が出力される。その信号はＡ／Ｄ変換部２４を介してＣＰＵ１７に入力され、共振回路が存在するかしないかを判定する。判定結果はＣＰＵに接続されたスピーカや発光素子によって、操作する者に知らせる等の方法をとることも可能である。
【図面の簡単な説明】
【００３８】
【図１】本発明に係る印刷物の一実施例を示す図である。
【図２】本発明に係る印刷物の一実施例を示す図である。
【図３】本発明に係る印刷物の一実施例を示す図である。
【図４】図１のａ−ａ’及び図２のｂ−ｂ’の断面を示す図である。
【図５】図３のｃ−ｃ’、ｄ−ｄ’の断面を示す図、及び図３のｅ−ｅ’を折り目として折ったときの断面図である。
【図６】本実施例のコイルとコンデンサの回路である。
【図７】本実施例の印刷物の読取装置の構成図である。
【符号の説明】
【００３９】
１  貴重印刷物
２  光学的変化素子
３  導電体印刷
４  保護層
５  エンボス層
６  エンボス面
７  金属層
８  接着層
９  導電体層
１０  用紙
１１  コイルの外側にあるコンデンサ１１
１２  コイルの内側にあるコンデンサ１２
１３  導線
１４  金属層
１５  微小文字、微細画線部
１６  コイル
１７  ＣＰＵ
１８  タイミング制御部
１９  送信アンプ
２０  送信アンテナ
２１  受信アンテナ
２２  受信アンプ
２３  受信制御部
２４  Ａ／Ｄ変換部
【図１】
2006272816.tif 000003
【図２】
2006272816.tif 000004
【図３】
2006272816.tif 000005
【図４】
2006272816.tif 000006
【図５】
2006272816.tif 000007
【図６】
2006272816.tif 000008
【図７】
2006272816.tif 000009